(57)【特許請求の範囲】
【請求項１】
天板の裏面に取り付ける補強枠と、該補強枠の端部に取り付け、かつ二つの係合溝を離間して設けたブラケットと、該ブラケットに回動可能に連結され、かつ脚を連結可能な脚継手と、脚の起立時または折り畳み時に前記係合溝に係脱可能な係止ロッドを有し、かつ一側部を前記脚の上端部に回動可能に連結し、前記ブラケット側へ回動可能に付勢したアタッチメントと、を備えたテーブル等の脚のロック機構において、前記補強枠をブラケットの基部を挿入可能な角管状に形成し、前記ブラケットは補強枠に挿入可能な一対のブラケットリンクと、該ブラケットリンクの間に離間して形成したブラケットプレ−トとを有し、前記脚継手は一対の連結杆と脚を嵌合可能な角柱状の継手杆とでＬ字形に形成し、前記補強枠の内側に一対の連結杆を配置し、該連結杆の内外に前記ブラケットリンクとブラケットプレ−トを配置し、これらを回動可能に連結する一方、前記連結杆の外周面を相直交する係合面に形成し、脚の起立時、一方の係合面を補強枠の内面に係合可能に配置し、他方の係合面をブラケットの垂直な内面と係合可能に配置したことを特徴とするテーブル等の脚のロック機構。
【請求項２】
前記ブラケットプレ−トを脚の起立方向に突出形成するとともに、前記脚継手にブラケットプレ−トを挿入可能な係止溝を形成し、脚の起立時、前記係止溝にブラケットプレ−トを係合可能に配置した請求項１記載のテーブル等の脚のロック機構。
【請求項３】
前記ブラケットプレ−トの離間位置に前記係合溝を設け、該係合溝の間にテーパ状のガイド部を形成し、該ガイド部に前記係止ロッドを係合かつ滑動可能に配置した請求項１記載のテーブル等の脚のロック機構。
【請求項４】
前記アタッチメントを前記脚の周面に係合可能なコ字形断面に形成し、その一対の側片の一側にピンを回動可能に配置し、該側片の他側に前記係止ロッドを配置した請求項１記載のテーブル等の脚のロック機構。
【発明の詳細な説明】
【０００１】
【発明の属する技術分野】
本発明は構成を簡潔にし部品点数を低減して、これを容易かつ安価に製作でき、その小形軽量化と均質化を図れるとともに、脚を強固に支持し安定した起立状態を得られる上に、脚の折り畳みと起立操作を円滑かつ安定して行なえるテーブル等の脚のロック機構に関する。
【０００２】
【従来の技術】
従来のこの種の機構は、例えば特許第２８４６８６４号公報のように、脚の上端部に一対の回動部材を取り付け、該回動部材に係合溝を形成し、また天板の裏面の四隅に略コ字形断面のブラケットを取り付け、該ブラケット内に前記脚の上端部を回動可能に連結するとともに、前記ブラケット内に係合部材を回動可能に支持し、該部材に前記係合溝と係合可能なピンを突設し、前記係合部材を捩りバネを介して回動部材側へ回動可能に付勢する一方、相対するブラケット内の係合部材を連結部材を介して同動可能に連結し、脚のロック解除時は前記連結部材を回動操作し、ピンと係合溝との係合を解除して、脚を折り畳むようにしていた。
【０００３】
しかし、この従来の脚のロック機構は、構成が複雑で部品点数が多く、高価になるとともに、大形重量化する問題があった。
【０００４】
【発明が解決しようとする課題】
本発明はこのような問題を解決し、構成を簡潔にし部品点数を低減して、これを容易かつ安価に製作でき、その小形軽量化と均質化を図れるとともに、脚を強固に支持し安定した起立状態を得られる上に、脚の折り畳みと起立操作を円滑かつ安定して行なえるテーブル等の脚のロック機構を提供することを目的とする。
【０００５】
【問題を解決するための手段】
このため、請求項１の発明は、天板の裏面に取り付ける補強枠と、該補強枠の端部に取り付け、かつ二つの係合溝を離間して設けたブラケットと、該ブラケットに回動可能に連結され、かつ脚を連結可能な脚継手と、脚の起立時または折り畳み時に前記係合溝に係脱可能な係止ロッドを有し、かつ一側部を前記脚の上端部に回動可能に連結し、前記ブラケット側へ回動可能に付勢したアタッチメントと、を備えたテーブル等の脚のロック機構において、前記補強枠をブラケットの基部を挿入可能な角管状に形成し、前記ブラケットは補強枠に挿入可能な一対のブラケットリンクと、該ブラケットリンクの間に離間して形成したブラケットプレ−トとを有し、前記脚継手は一対の連結杆と脚を嵌合可能な角柱状の継手杆とでＬ字形に形成し、前記補強枠の内側に一対の連結杆を配置し、該連結杆の内外に前記ブラケットリンクとブラケットプレ−トを配置し、これらを回動可能に連結する一方、前記連結杆の外周面を相直交する係合面に形成し、脚の起立時、一方の係合面を補強枠の内面に係合可能に配置し、他方の係合面をブラケットの内側の垂直面と係合可能に配置し、補強枠とブラケットによって脚継手を強固かつ安定して支持するとともに、脚の起立姿勢を正確かつ安定して形成し得るようにしている。
【０００６】
請求項２の発明は、前記ブラケットプレ−トを脚の起立方向に突出形成するとともに、前記脚継手にブラケットプレ−トを挿入可能な係止溝を形成し、脚の起立時、前記係止溝にブラケットプレ−トを係合可能に配置し、脚の起立姿勢を強固かつ安定して保持し得るようにしている。
請求項３の発明は、ブラケットプレ−トの離間位置に前記係合溝を設け、該係合溝の間にテーパ状のガイド部を形成し、該ガイド部に前記係止ロッドを係合かつ滑動可能に配置し、係止ロッドと係合溝とを円滑かつ安定して係合し得るようにしている。
請求項４の発明は、前記アタッチメントを前記脚の周面に係合可能なコ字形断面に形成し、その一対の側片の一側にピンを回動可能に配置し、該側片の他側に前記係止ロッドを配置し、各脚にアタッチメントを取付けることによって、アタッチメントの小形軽量化を図るとともに、係止ロッドによる安定した係脱操作を得るようにしている。
【０００７】
【発明の実施の形態】
以下、本発明を会議用テーブルに適用した図示の実施形態について説明すると、図１乃至図６において１は横長矩形の天板で、その裏面の長さ方向に角管製の一対の補強枠２が離間して取り付けられている。
前記補強枠２の端部下面に、該枠取付け用のビス孔３若しくはボルト挿入孔と切欠溝４が形成され、また該補強枠２の端部両側面にピン５を挿入可能なピン孔６が形成され、該補強枠２の端部にブラケット７と脚継手８とが互いに重合して挿入されている。
【０００８】
前記ブラケット７はガラス繊維強化プラスティックによって一体成形され、これはビス孔９若しくはボルト挿入孔を形成した略立方体状のベースブロック１０と、該ブロック１０に突設した一対のブラケットリンク１１，１１と、該リンク１１の間に配置したブラケットプレート１２とで構成されている。
【０００９】
前記ブラケットリンク１１は横長の板状に形成され、その先端部にピン孔１３が形成され、また前記ブラケットプレート１２は、ブラケットリンク１１よりもかなり上下幅の大きい異形の略五角形板状に形成され、その外端部にベースブロック１０と略同厚の肉厚部１４が設けられ、このブラケットプレート１２の下面に、下向きのテーパ状のガイド部１２ａが形成されている。
【００１０】
前記ガイド部１２ａに後述の係止ロッドが係合かつ滑動可能に配置され、またブラケットプレート１２の端部、つまり上下端部に係合溝１５，１６が形成され、該係合溝１５，１６に前記係止ロッドを係脱可能にしている。
図中、１７はブラケットプレート１２の中間部両側面にビード状に突設した複数の凸部で、互いに水平に形成されている。
【００１１】
前記脚継手８は前記ブラケット７と同質の補強プラスティックによって、略Ｌ字形の柱状に成形され、これは前記ブラケットリンク１１よりも短小な一対の連結杆１８と、該杆１８の基端部に突設した角柱状の継手杆１９とで構成されている。
【００１２】
このうち、前記連結杆１８の先端部にピン孔３３が形成され、該連結杆１８を前記ブラケットリンク１１とブラケットプレート１２との間に配置し、また連結杆１８，１８の間にブラケットプレート１２を配置し、これらを補強枠２の外側からピン孔３３に差し込んだピン５を介して、連結杆１８，１８を回動可能に連結している。
【００１３】
前記継手杆１９の上部に、前記連結杆１８，１８の離間スペースに連通する係止溝２０が設けられ、該溝２０内にブラケットプレート１２を収容可能にしている。前記継手杆１９に角管状の脚２１が差し込まれ、これらをそのピン孔２２，２３に挿入したピン２４を介して連結している。
図中、２５は継手杆１９の上部周面に突設したフランジ部で、前記脚２１の上端部に当接可能に配置されている。
【００１４】
前記脚２１の上部にアタッチメント２６が取り付けられ、該アタッチメント２６は前記ブラケット７と同質のプラスティックによって略コ字に成形され、その相対する一対の側片２７，２７にピン孔２８が形成されている。
前記側片２７，２７間に前記脚２１が収容され、それらのピン孔２８，２３，２２に前記ピン２４を差し込み、前記アタッチメント２６を脚２１に回動可能に連結している。
【００１５】
前記側片２７，２７の上部に鋼管製の係止ロッド２９の一端が差し込まれ、その端部は略半月状の断面形状に形成されていて、前記差し込み部を回り止めしている。
前記係止ロッド２９は、前述のように前記ガイド部１２ａを滑動かつ係合して、係合溝１５，１６に係脱可能にされている。すなわち、前記係止ロッド２９は脚２１の折り畳み時は図４のように係合溝１５に係合し、脚２１の起立時は図５のように係合溝１６に係合可能にされている。
【００１６】
図中、３０はアタッチメント２６の下部内面と脚２１との間に配置した断面略Ｖ字形状の鋼板製のバネで、その一側片を脚２１に固定し、他側片をアタッチメント２６の内面に係合かつ移動可能に収容している。
そして、前記バネ３０は脚２１を介して一側片が弾性に抗して拡開され、その弾性を介して、アタッチメント２６をピン２４を中心に脚２１側へ回動可能に付勢し、係止ロッド２９と係合溝１５，１６との係合を維持し、それらのロック状態を保持可能にしている。
【００１７】
実施形態ではバネ３０を断面略Ｖ字形状に構成しているが、在来の圧縮コイルバネを用いることも可能である。この他、図中３１は同側の一対の脚２１，２１間を連結した連結枠、３２はアタッチメント２６の上部周面に突設した略ビード状の凸部で、脚２１の折り畳み時、段重ねする別のテーブルの天板１を載置可能にしている。
【００１８】
このように構成したテーブル等の脚のロック機構は、補強枠２や脚２１の他に、ブラケット７と脚継手８およびアタッチメント２６を要するが、これらは全て合成樹脂で一体成形され特別な後加工を要しないから、これらを安価かつ均質に製作でき、しかも軽量化を図れる。しかも、係止ロッド２９にロック操作用の把持部を設けていないから、その分構成が簡潔になる。
【００１９】
次に、これらの構成部品を組み付ける場合は、例えば天板１を裏面を上向きにして作業台（図示略）に載せ、その裏面に一対の補強枠２を長さ方向に沿って平行にビス止めし、該枠２の両端部にブラケット７を差し込む。
その際、ブラケットリンク１１とブラケットプレート１２との間に、脚継手８の連結杆１８，１８を差し込み、これら脚継手８とブラケット７とを一緒に補強枠２に差し込む。
【００２０】
そして、ベースブロック１０が補強枠２の端部に当接したところで、前記差し込みを停止し、補強枠２とブラケットリンク１１およびブラケットプレート１２の各ピン孔５，１３を位置合わせし、それらにピン５を差し込んで、脚継手８をブラケット７および補強枠２に回動可能に連結し、またブラケット７を天板１にビス止めする。
【００２１】
この後、脚継手８の継手杆１９に脚２１を差し込み、該脚２３の外端面に予め係止ロッド２９を差し込んだアタッチメント２６を嵌合し、それらのピン孔２２，２３，２８を位置合わせしたところで、これらにピン２４を差し込み、アタッチメント２６を脚継手８および継手杆１９に回動可能に連結すれば良い。
このように前記組み付けにはビス止めやピン止め作業が少ないから、これを容易かつ速やかに行なえる。
【００２２】
こうして組み付けた状況は図５のようで、脚２１の起立時は係止ロッド２９が係合溝１６に係合し、脚２１の起立状態、つまりテーブルの使用状態を維持している。
この場合、脚継手８の連結杆１８，１８の上端面が補強枠２の上部内面に係合し、また前記上端面と相直交する連結杆１８，１８の外側面が、ベースブロック１０の垂直な内面と係合可能に近接するから、脚２１の起立姿勢が正確に形成されるとともに、脚２１の外側への変位を防止する。
【００２３】
また、連結杆１８，１８は、図６のようにブラケットリンク１１，１１とブラケットプレート１２によって内外から支持され、それらの板厚方向への脚２１の変位を阻止するから、前述と相俟って脚２１の支持構造を強化する。
【００２４】
しかも、アタッチメント２６はバネ３０の弾性によって、ピン２４を中心に図５上時計方向へ回動可能に付勢され、これに係止ロッド２９が同動して係合溝１６との係合を維持し強化する。また、前記係合によって脚２１の起立回動が規制され、脚２１が垂直状態を維持する。
更に、係合溝１６は肉厚部１４に形成され、係止ロッド２９に対する接触面積を広く確保しているから、係合溝１６の単位面積当たりの負担を軽減する。
【００２５】
一方、テーブルの使用後、脚２１を折り畳む場合は、テーブルを適宜位置に移動して反転し、天板１を適宜場所に載せ、一方または両方の脚２１を保持して、これを内側に押し倒す。
【００２６】
このようにすると、脚２１および脚継手８がブラケットプレート１２に沿って、ピン５を中心に図５上反時計方向へ回動し、円滑かつ安定して折り畳まれる。
その際、脚継手８の係止溝２０およびこれに連通する空隙部は、ブラケットプレート１２の両側面に突設した凸部１７と線接触状態で係合するから、これらが面接触状態で係合する場合に比べて、脚２１を円滑かつ容易に折り畳める。
【００２７】
こうして、係止ロッド２９が脚２１に同動して係合溝１６から引き抜かれ、それらの係合を解除するとともに、係止ロッド２９がガイド部１２ａに乗り移り、該ガイド部１２ａを下側から上側へ移動して、他方の係合溝１５に落とし込まれ係合する。
【００２８】
この状況は図４のようで、係止ロッド２９が係合溝１５に係合して、脚２１の折り畳み状態が維持され、またアタッチメント２６の一部が補強枠２と脚２１の外側に位置する。
この場合、アタッチメント２６はバネ３０の弾性によって、ピン２４を中心に図４上時計方向へ回動可能に付勢され、これに係止ロッド２９が同動して係合溝１５との係合を維持し強化する。また、前記係合によって脚２１の転倒回動が規制され、脚２１が補強枠２上で水平に収容される。
【００２９】
そして、このような脚２１の折り畳み時は、図４のように凸部３２がアタッチメント２６の最上部に位置し、またその上部外側縁がガイド部１２ａに係合して、アタッチメント２６の一端を支持している。
したがって、これら４個所の凸部３２上に別のテーブルの天板１を載置することができ、テーブルの段重ねが可能になる。
【００３０】
一方、脚２１を折り畳んだ保管状態のテーブルを使用する場合は、テーブルを適宜位置に移動して、天板１を適宜場所に載せ、一方または両方の脚２１を保持して、これを引き上げる。
このようにすると、脚２１および脚継手８がブラケットプレート１２に沿って、ピン５を中心に図４上時計方向へ回動し、脚２１が円滑かつ安定して起立回動する。
【００３１】
その際、脚継手８の係止溝２０およびこれに連通する空隙部は、ブラケットプレート１２の両側面に突設した凸部１７と線接触状態で係合するから、これらが面接触状態で係合する場合に比べて、脚２１が円滑かつ容易に起立する。
【００３２】
こうして、脚２１が起立回動すると、これにアタッチメント２６が同動し、係止ロッド２９が係合溝１５から引き抜かれ、それらの係合を解除する。
そして、係止ロッド２９が係合溝１５からガイド部１２ａに乗り移り、該ガイド部１２ａを上側から下側へ移動して、他方の係合溝１６に落とし込まれる。
【００３３】
この状況は図５のようで、係止ロッド２９が係合溝１６に係合し、脚２１の起立状態が維持される。この後、テーブルを反転し、脚２１を床面に設置すれば所期の使用状態が得られる。
【００３４】
【発明の効果】
以上のように請求項１の発明は、補強枠をブラケットの基部を挿入可能な角管状に形成し、前記ブラケットは補強枠に挿入可能な一対のブラケットリンクと、該ブラケットリンクの間に離間して形成したブラケットプレ−トとを有し、前記脚継手は一対の連結杆と脚を嵌合可能な角柱状の継手杆とでＬ字形に形成し、前記補強枠の内側に一対の連結杆を配置し、該連結杆の内外に前記ブラケットリンクとブラケットプレ−トを配置し、これらを回動可能に連結する一方、前記連結杆の外周面を相直交する係合面に形成し、脚の起立時、一方の係合面を補強枠の内面に係合可能に配置し、他方の係合面をブラケットの内側の垂直面と係合可能に配置したから、補強枠とブラケットによって脚継手を強固かつ安定して支持できるとともに、脚の起立姿勢を正確かつ安定して形成することができる。
【００３５】
請求項２の発明は、前記ブラケットプレ−トを脚の起立方向に突出形成するとともに、前記脚継手にブラケットプレ−トを挿入可能な係止溝を形成し、脚の起立時、前記係止溝にブラケットプレ−トを係合可能に配置したから、脚の起立姿勢を強固かつ安定して保持することができる。
請求項３の発明は、ブラケットプレ−トの離間位置に前記係合溝を設け、該係合溝の間にテーパ状のガイド部を形成し、該ガイド部に前記係止ロッドを係合かつ滑動可能に配置したから、係止ロッドと係合溝とを円滑かつ安定して係合することができる。
請求項４の発明は、前記アタッチメントを前記脚の周面に係合可能なコ字形断面に形成し、その一対の側片の一側にピンを回動可能に配置し、該側片の他側に前記係止ロッドを配置したから、各脚にアタッチメントを取付けることによって、アタッチメントの小形軽量化を図れるとともに、係止ロッドによる安定した係脱操作を得られる効果がある。
【図面の簡単な説明】
【図１】本発明の実施形態を示す斜視図で、脚の起立操作後の状況を示している。
【図２】本発明に適用したブラケットとアタッチメントとの組み付け状態を示す斜視図である。
【図３】本発明の要部を分解して示す斜視図である。
【図４】本発明による脚の折り畳み状態を示す正面図である。
【図５】本発明による脚の起立状態を示す正面図である。
【図６】図５のＡ―Ａ線に沿う断面図で、若干拡大して示している。
【符号の説明】
１                  天板
７                  ブラケット
８                  脚継手
１２ａ                ガイド部
１５，１６            係合溝
２１                  脚
２６                  アタッチメント
２９                  係止ロッド
【図１】
0004514288.tif 000002
【図２】
0004514288.tif 000003
【図３】
0004514288.tif 000004
【図４】
0004514288.tif 000005
【図５】
0004514288.tif 000006
【図６】
0004514288.tif 000007